(57)【要約】【課題】  フラクタルフィーチャを有するコンタクトレンズを提供する。【解決手段】  コンタクトレンズと角膜との間の涙液交換を増加させるために、コンタクトレンズの後湾曲面の周辺領域にフィーチャパターンが組み込まれてもよい。フィーチャパターンは、フラクタル幾何学に基づき、レンズの周囲のどこに組み込まれてもよい。フィーチャパターンの配置は、シミュレーションと実験との組み合わせを利用して決定されることが好ましい。【選択図】図２
2013148900.tif 000002
【特許請求の範囲】
【請求項１】
眼科装置であって、
後湾曲面、前湾曲面、視覚ゾーン及び周辺ゾーンを有するコンタクトレンズと、
前記コンタクトレンズの前記周辺ゾーン内の前記後湾曲面に組み込まれ、フラクタル幾何学に基づく少なくとも１つのフィーチャパターンと、を含む、眼科装置。
【請求項２】
前記コンタクトレンズが、ソフトコンタクトレンズを含む、請求項１に記載の眼科装置。
【請求項３】
前記コンタクトレンズが、硬質ガス透過性ハードコンタクトレンズを含む、請求項１に記載の眼科装置。
【請求項４】
前記コンタクトレンズが、円環状コンタクトレンズを含む、請求項１に記載の眼科装置。
【請求項５】
前記少なくとも１つのフィーチャパターンが、反復系関数を利用して生成され、前記系における各関数が、１つの集合に作用し、縮小写像である、請求項１に記載の眼科装置。
【請求項６】
前記フィーチャパターンが、前記コンタクトレンズの前記後湾曲面の前記周辺ゾーン内の１つ又は複数の別個の場所に組み込まれてもよい、請求項１に記載の眼科装置。
【請求項７】
前記フィーチャパターンが、前記コンタクトレンズの前記後湾曲面の前記周辺ゾーン内に連続的に組み込まれてもよい、請求項１に記載の眼科装置。
【請求項８】
前記フィーチャパターンが、回転安定性を制御するために前記円環状コンタクトレンズの前記後湾曲面に組み込まれる、請求項４に記載の眼科装置。
【請求項９】
眼科装置であって、
後湾曲面、前湾曲面、視覚ゾーン及び周辺ゾーンを有するコンタクトレンズと、
前記コンタクトレンズの前記周辺ゾーン内の前記後湾曲面に組み込まれ、ランダム構成要素を有する反復関数系に基づく少なくとも１つのフィーチャパターンと、を含む、眼科装置。
【請求項１０】
前記コンタクトレンズが、ソフトコンタクトレンズを含む、請求項９に記載の眼科装置。
【請求項１１】
前記コンタクトレンズが、硬質ガス透過性ハードコンタクトレンズを含む、請求項９に記載の眼科装置。
【請求項１２】
前記コンタクトレンズが、円環状コンタクトレンズを含む、請求項９に記載の眼科装置。
【請求項１３】
前記フィーチャパターンが、前記コンタクトレンズの前記後湾曲面の前記周辺ゾーン内の１つ又は複数の別個の場所に組み込まれてもよい、請求項９に記載の眼科装置。
【請求項１４】
前記フィーチャパターンが、前記コンタクトレンズの前記後湾曲面の前記周辺ゾーン内に連続的に組み込まれてもよい、請求項９に記載の眼科装置。
【請求項１５】
前記フィーチャパターンが、回転安定性を制御するために前記円環状コンタクトレンズの前記後湾曲面に組み込まれる、請求項１２に記載の眼科装置。
【請求項１６】
眼科装置の製造方法であって、
後湾曲面、前湾曲面、視覚ゾーン及び周辺ゾーンを有するコンタクトレンズを形成することと、
少なくとも１つのフィーチャパターンを生成することと、
前記コンタクトレンズの前記周辺ゾーン内の前記後湾曲面に前記少なくとも１つのフィーチャパターンを組み込むことと、を含み、前記少なくとも１つのフィーチャパターンが、フラクタル幾何学に基づく、方法。
【発明の詳細な説明】
【技術分野】
【０００１】
本発明は、涙液交換を改善したコンタクトレンズに関し、より詳細には涙液交換を改善するために後湾曲側の周辺部に形成されたフラクタルフィーチャを有するコンタクトレンズに関する。
【背景技術】
【０００２】
コンタクトレンズ又はコンタクトは、簡単には、目の上に配置されるレンズである。コンタクトレンズは、医療機器と見なされ、視覚の矯正及び／又は化粧又は他の治療的理由のために着用されることがある。コンタクトレンズは、１９５０年代以来、視力を改善するために商業的に使用されてきた。初期のコンタクトレンズは、硬い材料で作成又は作製されており、比較的高価で脆かった。更に、そのような初期のコンタクトレンズは、コンタクトレンズを介して結膜及び角膜に十分な酸素の透過を可能にせず、幾つかの有害な臨床作用を引き起こす可能性のある材料で製造されていた。そのようなのコンタクトレンズはまだ利用されているが、初期快適さが低いので、全ての患者に適しているわけではない。この分野での後の開発により、ヒドロゲルを利用したソフトコンタクトレンズが生み出され、ソフトコンタクトレンズは、大流行し今日では幅広く利用されている。具体的には、今日入手可能なシリコーンヒドロゲルコンタクトレンズは、極めて高い酸素透過性を有するシリコーンの利点と、ヒドロゲルの実証済みの快適さ及び臨床成績とを併せ持っている。本質的に、シリコーンヒドロゲルを利用したコンタクトレンズは、より高い酸素透過性を有し、一般に、初期の硬い材料で作成されたコンタクトレンズより着用が快適である。しかしながら、これらの新しいコンタクトレンズは、限界が全くないわけではない。
【０００３】
コンタクトレンズは、充血、痛み、ムチンの蓄積、及びコンタクトレンズと関連付けられたドライアイ症状などのいかなる副作用もない状態で、多くのユーザが８時間から数日間連続して装着できる。しかし、一部のユーザは、使用後たった数時間でこれらの症状を発現し始める。コンタクトレンズ着用者の多くは、再湿潤溶液を用いて、これら副作用に関連する不快症状の緩和にある程度成功している。しかしながら、これらの溶液を使用するには、ユーザが過剰な溶液を持ち運ばなければならず、これは、不便であることが分かっている。これらユーザにとっては、再湿潤溶液の使用を必要としないより快適なコンタクトレンズが有用であろう。
【０００４】
コンタクトレンズ着用と関連した潜在的な問題は、眼瞼、結膜、角膜の様々な層、及び目の外側面を覆う涙液膜に悪影響を及ぼすことがある。
【発明の概要】
【発明が解決しようとする課題】
【０００５】
コンタクトレンズが目の上に配置されたとき、コンタクトレンズの後湾曲面又は後面と角膜との間、及びコンタクトレンズの前面上の両方に涙液膜の層が形成される。涙液膜内に溜まった汚染物質を除去するには、両領域内の涙又は涙液膜をリフレッシュさせることが有益であり、特に、コンタクトレンズの後ろの涙液膜、又はより正確にはコンタクトレンズの後面と角膜との間の涙液膜をリフレッシュさせることが有益である。したがって、コンタクトレンズの後ろの涙液交換を容易にする改善されたコンタクトレンズが必要とされている。
【課題を解決するための手段】
【０００６】
本発明のコンタクトレンズの後湾曲側又は後湾曲面の周辺部に形成されたフラクタルフィーチャは、簡単に前述したような先行技術と関連した制限を克服する。
【０００７】
第１の態様によれば、本発明は、眼科装置を対象とする。装置は、後湾曲面、前湾曲面、視覚ゾーン及び周辺ゾーンを有するコンタクトレンズと、コンタクトレンズの周辺ゾーン内の後湾曲面に組み込まれ、フラクタル幾何学に基づく少なくとも１つのフィーチャパターンとを含む。
【０００８】
別の態様によれば、本発明は、眼科装置を対象とする。装置は、後湾曲面、前湾曲面、視覚ゾーン及び周辺ゾーンを有するコンタクトレンズと、コンタクトレンズの周辺ゾーン内の後湾曲面に組み込まれ、ランダム構成要素を有する反復関数系に基づく少なくとも１つのフィーチャパターンとを含む。
【０００９】
別の態様によれば、本発明は、眼科装置の製造方法を対象とする。この方法は、後湾曲面、前湾曲面、視覚ゾーン及び周辺ゾーンを有するコンタクトレンズを形成することと、少なくとも１つのフィーチャパターンを生成することと、コンタクトレンズの周辺ゾーン内の後湾曲面に少なくとも１つのフィーチャパターンを組み込むこととを含み、少なくとも１つのフィーチャパターンは、フラクタル幾何学に基づく。
【００１０】
コンタクトレンズが目上に配置されたとき、コンタクトレンズの後面と角膜との間、及びコンタクトレンズの前面上に涙液膜の層が形成される。この涙液膜の適切な分布が、快適なレンズ適合及び視覚改善を達成するのに重要である。本発明は、コンタクトレンズの着用者の目内の涙液交換が不十分だと有害事象が生じることがあると考えられるので、コンタクトレンズの後面と角膜との間で行われる涙液交換又は涙回復の改善に焦点を当てたコンタクトレンズ設計を対象とする。例えば、後面の涙液膜が薄くなると、接眼面に伝わる剪断力が大きくなり、それにより、角膜の上皮層への応力が大きくなることがある。更に、涙液交換が不十分か又は少ないと、目内に汚染物質が溜まることがある。
【００１１】
少ないか又は不十分な涙液交換と有害な眼球反応との間に関係がありそうな場合は、汚染物質を適時に除去し、コンタクトレンズ後側に厚い涙液膜を回復させることが可能であり、有害な眼球事象を大幅に減少させるので好ましい。したがって、本発明は、涙液膜の厚さを増大させることで涙液交換を増加させるために、コンタクトレンズの後湾曲面の周辺領域に形成されたフィーチャパターンを対象とする。フィーチャパターンは、任意の適切な設計を有することができるが、フラクタル幾何学に基づくパターンを含むことが好ましい。
【００１２】
フラクタルパターンは、生成が比較的単純であり、コンタクトレンズの後湾曲面の周辺ゾーンに組み込みやすい。フラクタルパターンは、既存のコンタクトレンズ製造工程に組み込まれてもよく、それにより製造コストの増加が最小限になる。フラクタルパターンは、コンタクトレンズの周辺ゾーンに組み込まれるので、着用者の視覚を妨げない。
【図面の簡単な説明】
【００１３】
本発明の前述の及び他の特徴及び利点は、以下の付随する図面に示された本発明の好ましい実施態様のより詳細な説明から明らかとなるであろう。
【図１】人間の目の涙排水系の解剖学的構造を示す。
【図２】本発明による、フィーチャパターンを後湾曲面に組み込むコンタクトレンズの第１の例示的な実施形態の図表示。
【図３】本発明による、フィーチャパターンを後湾曲面に組み込むコンタクトレンズの第２の例示的な実施形態の図表示。
【発明を実施するための形態】
【００１４】
図１は、人間の目１００の排水系の解剖学的構造を示す。涙は、それぞれの目１００の外側上方にある涙腺（図示なし）で生成される。涙は目１００の表面を渡って流れ、涙湖１０２と呼ばれる浅い液だまりに至る。この涙湖は、上眼瞼と下眼瞼とが出会う、目の内側又は鼻側の端にある。ここから涙は、各瞼の小さな開口部を通して排水され、これら開口部は上涙点１０４及び下涙点１０６と呼ばれる。涙は、上涙点１０４及び下涙点１０６から、それぞれ上涙小管１０８及び下涙小管１１０へと通過し、これらは涙嚢１１２に至るダクト状経路である。涙嚢１１２は、鼻涙管（図示なし）の上方拡大部分であり、これは涙を鼻器官系へと排出する。上涙点１０４及びそれにつながる涙小管１０８は、通常、目１００から涙の約１０パーセントのみを排水させ、これにより、閉塞によって実質的に涙の溢出が起こらないようになっている。
【００１５】
涙又は涙液膜は、３層からなっている。第１の層又は下層は、眼をコーティングする層であり、杯状細胞と呼ばれる結膜中の細胞によって生成されるムチンを含む。ムチンは眼の表面上及び表面内の微細な凹凸を充填し、明瞭な視覚を得るために重要である。涙液膜の第２の層又は中層は主に水からなり、涙液膜の大部分を構成している。この水様成分の大半は、主涙腺又は涙腺から生成又は供給される。感情による涙及び反射性涙（即ち、まぶしい光又は異物などの刺激の結果生じる涙）は、主涙腺に由来する。副涙腺（ウォルフガングクラウス腺として知られる）は眼瞼組織内にあり、これも水様成分に寄与する。涙液膜の第３の層又は上層は、マイボーム腺から分泌される油の薄層からなり、涙がすぐに蒸発してしまうのを防ぐ働きをする。
【００１６】
人間の目には、滑らかな面を作るために角膜全体に涙液膜が分散される。目の最も大きい屈折率差は、空気と涙液膜の境界面に生じるので、この面が、目の屈折力の大部分に寄与する。その光学特性に加えて、涙液膜は、目を潤滑にする働きをし、また一般に、目を健康状態に維持する。
【００１７】
人が瞬きするとき、新しい涙液膜が角膜上に分散される。瞬き後に、涙液膜は安定する。この時点で、涙液膜は、これまでになく滑らかである。本質的に、これは、涙液膜にとって最適な状態である。瞬きが行われないと、涙液膜は、通常、約４〜約１５秒の時間範囲にわたって破壊し始める。破壊中に、涙液膜は、乱れ、ところどころ乾き始める。これは、不快感と共に視力を低下させることがある。また、涙液膜の不均一さは、光散乱による屈折異常を引き起こすこともある。
【００１８】
コンタクトレンズが目に配置されたとき、コンタクトレンズと角膜との間、及び前面コンタクトレンズ表面の両方に涙液膜層が形成される。涙液膜の適切な分散は、快適なレンズ適合及び視覚改善を達成するために極めて重要であり、したがって、レンズ材料は、適切な湿潤性を有するように設計されなければならない。幾つかのレンズ材料は、高い酸素透過性などの改良を実現しているが、涙液膜の分散に対する影響は分かっていない。現在、レンズは、臨床試験の際に生体内で試験されなければならず、臨床試験では、フルオレセイン眼染色及び細隙灯イメージングなどの定性的でかつ僅かに半定量的な涙液膜分析法が使用して、涙液膜の進化及び破壊を評価する。
【００１９】
本発明を参照すると、対象の涙液膜は、コンタクトレンズの後面と角膜との間に形成される涙液膜である。より詳細には、本発明の対象は、涙液膜自体ではなく、コンタクトレンズの後面と角膜との間で行われる涙液交換である。コンタクトレンズ着用者の目の不十分な涙液交換は、有害事象発生率の増加に寄与すると考えられる。また、涙液膜の厚さを大きくすることによって、涙液交換率が高まることがあると考えられる。先行技術のコンタクトレンズは、コンタクトレンズの後湾曲面上のチャネル又は溝などの単純なフィーチャを利用して涙液膜の厚さを増大させ、それにより涙液交換を増加させていたが、本明細書で説明されるようなより複雑なフィーチャは、表面積及びパターン自体が増えるので、よい場合があると考えられる。
【００２０】
典型的には、ソフトコンタクトレンズの場合、後面の涙液膜の厚さは、５マイクロメートル未満である。この薄い涙液膜又は涙液層は、涙液交換を難しくする可能性がある。したがって、フラクタル幾何学を基にしたフィーチャパターンは、コンタクトレンズの後湾曲側の非光学部又は周囲部上又はそれらの中に形成されてもよい。このフィーチャパターンは、涙液膜の厚さを増大させることができるので好ましく、涙液膜の厚さを増大させると、後で詳述されるような目の上のコンタクトレンズの大きい直線運動と横方向ポンピングとを含む１つ又は複数の作用メカニズムによって涙液交換が改善される。
【００２１】
前述のように、涙液膜が厚いほど、コンタクトレンズの直線運動が大きくなるので好ましく、これにより涙液交換が改善されるので好ましい。コンタクトレンズの後面と角膜との間の涙液膜が厚いほど剪断力が小さくなり、それにより、コンタクトレンズの直線運動が容易になる。これが、回転運動でなく直線運動であり、したがって、本発明が、回転方向を必要とするレンズ（例えば、円環状コンタクトレンズ）を含む任意のタイプのコンタクトレンズと共に利用できるに留意することが重要である。また、任意の方向のコンタクトレンズの動きを制御するために、フィーチャパターンがコンタクトレンズの周囲部に位置決めされるように最適化されてもよいことに留意されたい。本質的に、コンタクトレンズの動きによって、新鮮又は新しい涙がフィーチャパターンを介してコンタクトレンズの下で動くことが可能となり、その結果、拡散が増え、かつ古い涙に含まれる汚染物質が新しい又は新鮮な涙に拡散する量が増えることがある。より重要なことには、拡散特性が最適化される可能性があることである。
【００２２】
また前述したように、涙液交換を改善する横方向ポンピングには、より厚い涙液膜が好ましい。横方向ポンピングでは、新しい涙が、フィーチャパターンを介してコンタクトレンズの下に移動するので、コンタクトレンズ自体が位置を変える傾向があり、その結果、新しいより厚い涙液膜が再分散され、それにより好ましくは古い涙液膜がコンタクトレンズの下から押し出される。本発明のフィーチャパターンの使用により、他の涙液交換メカニズムが行われることがあることに留意することが重要である。
【００２３】
本明細書ではフラクタル幾何学に基づくフィーチャパターンについて述べるが、任意の適切なパターンを利用できることに留意することが重要である。過度に単純化すると、フラクタルは、部分に分割することができる粗いか又は断片的な幾何学形状として定義され、各部分は、全体の縮小サイズの複製か又は少なくとも近似的に縮小されたサイズの複製である。この特性は、自己相似として知られる。より具体的には、フラクタルは、任意に小規模の微細構造を含む幾つかのフィーチャを有し、あまりにも不規則なのでユークリッド幾何学言語で単純に記述することができず、自己相似であり（少なくとも近似的に又は確率的に）、位相次元より大きいハウスドルフ次元を有し、単純で回帰的な定義を有する。近似的フラクタルは、自然界では、例えば凍結結晶、雪片、雲、均一断層線、及び山脈の形成に見られることがあるので、フラクタル幾何学に基づいて人が作成したフィーチャパターンは、コンタクトレンズ下の涙の移動に好ましい結果を提供することがある。
【００２４】
次に図２を参照すると、連続又は集合のフィーチャパターン２０２が、視覚ゾーン２０６に触れないようにコンタクトレンズ２００の後湾曲面の周辺領域２０４内に形成された、例示的なコンタクトレンズ２００を示す。これらのフィーチャパターン２０２は、後で詳細に述べる反復関数フィーチャを利用して生成されてもよい。更に、実際のフィーチャパターン２０２は、後でも述べるように任意の適切な製造技術を利用して形成されてもよい。
【００２５】
図３は、コンタクトレンズ３００の後湾曲面の周辺領域３０４の一部分だけに形成された、連続又は集合のフィーチャパターン３０２を有する別の例示的なコンタクトレンズ３００を示した。前述のように、フィーチャパターン３０２は、コンタクトレンズの動きを制御するように最適化されてもよく、この最適化は、コンタクトレンズ３００上のパターン３０２の位置決め、及びパターン自体の変更を含む。換言すると、フィーチャパターンは、直線運動と回転運動の両方を制御するために最適化されてもよい。したがって、円環状コンタクトレンズの場合、フィーチャパターンは、回転安定性を提供するか又は制御するように設計され、後湾曲面に組み込まれてもよい。この場合も、視覚ゾーン３０６は触れられない。
【００２６】
フラクタルを生成するには、空間内の各点での式又は漸化式の利用（回避時間フラクタル）、例えばブラウン運動の軌跡、レヴィーフライト、パーコレーションクラスタ、自己回避歩行、フラクタルランドスケープ、及びブラウンツリーなどの確率過程の利用（ランダムフラクタル）、カオスを呈する初期値微分方程式の系のマップ又は解の反復（ストレンジアトラクタ）、ストリング書き換えの利用（Ｌ−システム）、並びに反復関数系の５つの一般的な技術がある。本発明によれば、フラクタルパターンは、反復関数系を利用して生成されてもよく、その場合、系の各関数は、１つの集合に作用し、縮小写像である。第１の反復で、関数系は、単一の集合に作用して系内の関数ごとに新しい集合を生成する。第２の反復で、関数系は、新しい集合に作用して系内の関数のそれぞれと、前の集合のそれぞれとに新しい集合を生成する。反復は、任意の回数繰り返されてもよい。
【００２７】
図２及び図３に示された例示的なパターンは、反復関数系を利用して生成されてもよい。この例示的な系では、シードセットは線分であり、反復関数系は、３つの縮小写像を含む。この例示的な実施形態では、メトリック、即ち２つの集合の間の距離が、任意の２つの集合の間の対称差程度になるように定義され、ゼロの大きさを有する対称差の集合に同値関係が定義される。更に、単一の集合の大きさが、線分の長さとして定義される。
【００２８】
集合Ａ及び集合Ｂの距離メトリックは、次の式によって定義される。
ｄ（Ａ，Ｂ）＝ｍｅａｓｕｒｅ（Ａ  ｕｎｉｏｎ  Ｂ−Ａ  ｉｎｔｅｒｓｅｃｔ  Ｂ）＝長さＡ＋長さＢ−２つの集合の間の共通部分の長さ。                    （１）
【００２９】
関数ｆに使用される写像ｆｉは、次の式によって与えられる。
【数１】
2013148900.tif 000003
式中、ｉ＝１、２及び３、Ｒｉ＜１。Ｒｉ及びθｉは、ｆｉの長さ及び角度パラメータを定義する。
【００３０】
したがって、ｆｉ（Ａ）は、次の式によって与えられる。
【数２】
2013148900.tif 000004
式中、この線分の開始値はＡの終点であり、線分の最終値は、デカルト座標で、ｘ＝ｒｅａｌ（ｆｉ（Ａ））、かつｙ＝ｉｍａｇ（ｆｉ（Ａ））である。これらは明らかに縮小写像であり、この反復系がフラクタルに収束することは既知である。しかしながら、本明細書で述べるフィーチャパターンは、収束されない。
【００３１】
代替の例示的実施形態では、反復関数系は、ランダム要素によって増大されてもよい。換言すると、反復関数系を含む関数ｆｉが、ランダムに変更されてもよい。具体的には、関数の部分である長さＲｉ及び角度θｉは、固定されずランダムでよい。しかしながら、Ｒｉは、縮小写像があるように１未満のままでなければならない。
【００３２】
Ｒ１＝０．９９とθ１＝１．１０、Ｒ２＝０．７０とθ２＝０．００、及びＲ３＝０．９９とθ３＝−１．１０の出力例と共にサンプル又は例示的コードが下記の表に示され、それぞれ図２及び図３に示される。４回反復を実行してパターンを生成した。
【表１−１】
2013148900.tif 000005
【表１−２】
2013148900.tif 000006
【表１−３】
2013148900.tif 000007
【表１−４】
2013148900.tif 000008
【００３３】
生成されたフィーチャパターンは、コンタクトレンズの、視覚ゾーン外の全ての部分に繰り返し適用されてもよく、あるいはコンタクトレンズを安定させるために幾つか又は特定の場所だけに配置されてもよい。換言すると、フィーチャパターンは、コンタクトレンズの周辺の個々の場所及び／又はコンタクトレンズの周辺部に連続的に配置又は位置決めされてもよい。位置は、シミュレーションと実験との組み合わせを利用して決定されることが好ましい。換言すると、コンタクトレンズの動きは、より厚いか又はより薄い涙液膜のゾーンを作成することによって操作されてもよく、これは、回転安定化ゾーンの必要なしにコンタクトレンズを安定させるように活用されてもよい。例えば、これは、瞬きの際に生じたコンタクトレンズ上のトルクに対抗するように、パターンを特定の場所に配置することによって達成される。これは、特に円環状コンタクトレンズに有利なことがある。
【００３４】
フィーチャパターンは、生成された後で、コンタクトレンズに転写されなければならない。コンタクトレンズの後湾曲面にフィーチャパターンを形成するか又はフィーチャパターンを刻むための任意の適切な方法を利用することができる。フィーチャパターンが、単純に印刷されるのではなく、コンタクトレンズの後湾曲面に刻まれるか又は形成されることに留意することが重要である。例えば、フィーチャパターンは、フィーチャパターンを有する鋳型を作成するために利用される治工具に転写され、次にコンタクトレンズが現在製造されているのと同じようにコンタクトレンズに注型成形されてもよい。コンタクトレンズは、業界で知られた任意の適切な技術を使用して製造されてもよく、また、コンタクトレンズを形成する方法はメーカーによりまたレンズにより異なることがあるので、フィーチャパターンは、当該技術分野で既知の任意の適切な方法も利用してコンタクトレンズの後湾曲面に組み込まれてもよいことに留意することが重要である。
【００３５】
フィーチャパターンは、任意の数のコンタクトレンズに組み込まれてもよい。コンタクトレンズは、一定範囲の酸素透過性、湿潤性及び利便性を提供する任意の数の適切な生体適合性材料から形成されてもよい。１日装着ソフトコンタクトレンズ、カラーソフトコンタクトレンズ、硬質ガス透過性ハードコンタクトレンズ、二重焦点コンタクトレンズ、円環状コンタクトレンズ及び角膜再成形処理コンタクトレンズを含む幾つかのコンタクトレンズ設計がある。
【００３６】
代替の例示的実施形態では、フィーチャパターンは、目の外観を高め及び／又は涙液交換を強化しかつ外観を強化する働きをする。この例示的実施形態では、フィーチャパターンは、その設計を際立たせるために強調されかつ／又は着色されてもよい。
【００３７】
ここで図示及び説明した実施形態は、最も実用的で好適な実施形態と考えられるが、当業者であれば、ここに図示及び開示した特定の設計及び方法からの変更はそれ自体当業者にとって自明であり、本発明の趣旨及び範囲から逸脱することなく使用できることは明らかであろう。本発明は、記載され、例示された特定の構造に限定されないが、添付した特許請求の範囲内に入り得る全ての変更例と一致するように構成されるべきである。
【００３８】
〔実施の態様〕
（１）  眼科装置であって、
後湾曲面、前湾曲面、視覚ゾーン及び周辺ゾーンを有するコンタクトレンズと、
前記コンタクトレンズの前記周辺ゾーン内の前記後湾曲面に組み込まれ、フラクタル幾何学に基づく少なくとも１つのフィーチャパターンと、を含む、眼科装置。
（２）  前記コンタクトレンズが、ソフトコンタクトレンズを含む、実施態様１に記載の眼科装置。
（３）  前記コンタクトレンズが、硬質ガス透過性ハードコンタクトレンズを含む、実施態様１に記載の眼科装置。
（４）  前記コンタクトレンズが、円環状コンタクトレンズを含む、実施態様１に記載の眼科装置。
（５）  前記少なくとも１つのフィーチャパターンが、反復系関数（iterated system function）を利用して生成され、前記系における各関数が、１つの集合に作用し、縮小写像である、実施態様１に記載の眼科装置。
（６）  前記フィーチャパターンが、前記コンタクトレンズの前記後湾曲面の前記周辺ゾーン内の１つ又は複数の別個の場所に組み込まれてもよい、実施態様１に記載の眼科装置。
（７）  前記フィーチャパターンが、前記コンタクトレンズの前記後湾曲面の前記周辺ゾーン内に連続的に組み込まれてもよい、実施態様１に記載の眼科装置。
（８）  前記フィーチャパターンが、回転安定性を制御するために前記円環状コンタクトレンズの前記後湾曲面に組み込まれる、実施態様４に記載の眼科装置。
（９）  眼科装置であって、
後湾曲面、前湾曲面、視覚ゾーン及び周辺ゾーンを有するコンタクトレンズと、
前記コンタクトレンズの前記周辺ゾーン内の前記後湾曲面に組み込まれ、ランダム構成要素を有する反復関数系に基づく少なくとも１つのフィーチャパターンと、を含む、眼科装置。
（１０）  前記コンタクトレンズが、ソフトコンタクトレンズを含む、実施態様９に記載の眼科装置。
【００３９】
（１１）  前記コンタクトレンズが、硬質ガス透過性ハードコンタクトレンズを含む、実施態様９に記載の眼科装置。
（１２）  前記コンタクトレンズが、円環状コンタクトレンズを含む、実施態様９に記載の眼科装置。
（１３）  前記フィーチャパターンが、前記コンタクトレンズの前記後湾曲面の前記周辺ゾーン内の１つ又は複数の別個の場所に組み込まれてもよい、実施態様９に記載の眼科装置。
（１４）  前記フィーチャパターンが、前記コンタクトレンズの前記後湾曲面の前記周辺ゾーン内に連続的に組み込まれてもよい、実施態様９に記載の眼科装置。
（１５）  前記フィーチャパターンが、回転安定性を制御するために前記円環状コンタクトレンズの前記後湾曲面に組み込まれる、実施態様１２に記載の眼科装置。
（１６）  眼科装置の製造方法であって、
後湾曲面、前湾曲面、視覚ゾーン及び周辺ゾーンを有するコンタクトレンズを形成することと、
少なくとも１つのフィーチャパターンを生成することと、
前記コンタクトレンズの前記周辺ゾーン内の前記後湾曲面に前記少なくとも１つのフィーチャパターンを組み込むことと、を含み、前記少なくとも１つのフィーチャパターンが、フラクタル幾何学に基づく、方法。
【図１】
2013148900.tif 000009
【図２】
2013148900.tif 000010
【図３】
2013148900.tif 000011
【外国語明細書】
2013148900000001.pdf